【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)において、現在サブフレーム中の基地局からの基準信号を受信するステップと、
チャネル推定を実行するステップであって、
前記チャネル推定が、前記現在サブフレーム中の前記受信した基準信号、前記UEのドップラー推定値、および前記現在サブフレームの前のサブフレームの構成に少なくとも部分的に基づき、
ダウンリンク基準信号の送信が制限されるまたは存在しない前記現在サブフレームの前のいくつかのサブフレームに少なくとも部分的に基づいて、前記ドップラー推定値が調整される、ステップと
を含む方法。
【請求項２】
前記現在サブフレームの前のサブフレームが、ダウンリンク基準信号の送信が制限されるまたは存在しないサブフレームを含む、請求項1に記載の方法。
【請求項３】
前記UEの前記調整されたドップラー推定値が閾値未満である場合、前記チャネル推定が、1つまたは複数の以前のダウンリンクサブフレーム中の受信した基準信号に少なくとも部分的に基づいて実行される、請求項1に記載の方法。
【請求項４】
前記UEの前記調整されたドップラー推定値が閾値よりも大きい場合、前記チャネル推定が前記現在サブフレーム中の受信した基準信号のみに基づいて実行される、請求項1に記載の方法。
【請求項５】
ワイヤレス通信のための方法であって、
ユーザ機器(UE)において、現在サブフレーム中の基地局からの基準信号を受信するステップと、
チャネル推定を実行するステップであって、前記チャネル推定が、前記現在サブフレーム中の前記受信した基準信号、前記UEのモビリティ特性、および前記現在サブフレームの前のサブフレームの構成に少なくとも部分的に基づく、ステップとを含み、
前記チャネル推定が、前記UEがサブフレーム間の位相の連続性が維持される高電流モードで動作している場合のみ、1つまたは複数の以前のダウンリンクサブフレーム中の受信した基準信号に少なくとも部分的に基づく、方法。
【請求項６】
前記チャネル推定を実行する前記ステップが、
前記ダウンリンク基準信号の送信が制限されるまたは存在しない前記サブフレーム中の基準信号シンボルに0係数を使用するステップを含む、請求項2に記載の方法。
【請求項７】
ワイヤレス通信のための方法であって、
ユーザ機器(UE)において、現在サブフレーム中の基地局からの基準信号を受信するステップと、
チャネル推定を実行するステップであって、前記チャネル推定が、前記現在サブフレーム中の前記受信した基準信号、前記UEのモビリティ特性、および前記現在サブフレームの前のサブフレームの構成に少なくとも部分的に基づく、ステップとを含み、
前記チャネル推定を実行する前記ステップが、
群遅延を使用して、前記現在サブフレーム中の少なくとも第1の基準信号シンボルをスキップするステップを含む、方法。
【請求項８】
ワイヤレス通信のための装置であって、
ユーザ機器(UE)において、現在サブフレーム中の基地局からの基準信号を受信するための手段と、
チャネル推定を実行するための手段であって、
前記チャネル推定が、前記現在サブフレーム中の前記受信した基準信号、前記UEのドップラー推定値、および前記現在サブフレームの前のサブフレームの構成に少なくとも部分的に基づき、
ダウンリンク基準信号の送信が制限されるまたは存在しない前記現在サブフレームの前のいくつかのサブフレームに少なくとも部分的に基づいて、前記ドップラー推定値が調整される、手段と
を備える装置。
【請求項９】
前記現在サブフレームの前のサブフレームが、ダウンリンク基準信号の送信が制限されるまたは存在しないサブフレームを含む、請求項8に記載の装置。
【請求項１０】
前記UEの前記調整されたドップラー推定値が閾値未満である場合、前記チャネル推定が、1つまたは複数の以前のダウンリンクサブフレーム中の受信した基準信号に少なくとも部分的に基づいて実行される、請求項8に記載の装置。
【請求項１１】
前記UEの前記調整されたドップラー推定値が閾値よりも大きい場合、前記チャネル推定が前記現在サブフレーム中の受信した基準信号のみに基づいて実行される、請求項8に記載の装置。
【請求項１２】
ワイヤレス通信のための装置であって、
ユーザ機器(UE)において、現在サブフレーム中の基地局からの基準信号を受信するための手段と、
チャネル推定を実行するための手段であって、前記チャネル推定が、前記現在サブフレーム中の前記受信した基準信号、前記UEのモビリティ特性、および前記現在サブフレームの前のサブフレームの構成に少なくとも部分的に基づく、手段と
を備え、
前記チャネル推定が、前記UEがサブフレーム間の位相の連続性が維持される高電流モードで動作している場合のみ、1つまたは複数の以前のダウンリンクサブフレーム中の受信した基準信号に少なくとも部分的に基づく、装置。
【請求項１３】
前記チャネル推定を実行するための前記手段が、
前記ダウンリンク基準信号の送信が制限されるまたは存在しない前記サブフレーム中の基準信号シンボルに0係数を使用するための手段を備える、請求項9に記載の装置。
【請求項１４】
ワイヤレス通信のための装置であって、
ユーザ機器(UE)において、現在サブフレーム中の基地局からの基準信号を受信するための手段と、
チャネル推定を実行するための手段であって、前記チャネル推定が、前記現在サブフレーム中の前記受信した基準信号、前記UEのモビリティ特性、および前記現在サブフレームの前のサブフレームの構成に少なくとも部分的に基づく、手段と
を備え、
前記チャネル推定を実行するための前記手段が、
群遅延を使用して、前記現在サブフレーム中の少なくとも第1の基準信号シンボルをスキップするための手段を備える、請求項10に記載の装置。
【請求項１５】
ワイヤレス通信のための装置であって、
ユーザ機器(UE)において、現在サブフレーム中の基地局からの基準信号を受信すること、および
チャネル推定を実行することであって、
前記チャネル推定が、前記現在サブフレーム中の前記受信した基準信号、前記UEのドップラー推定値、および前記現在サブフレームの前のサブフレームの構成に少なくとも部分的に基づき、
ダウンリンク基準信号の送信が制限されるまたは存在しない前記現在サブフレームの前のいくつかのサブフレームに少なくとも部分的に基づいて、前記ドップラー推定値が調整される、こと
を行うように構成された少なくとも1つのプロセッサと、
前記少なくとも1つのプロセッサに結合されたメモリとを備える装置。
【請求項１６】
前記現在サブフレームの前のサブフレームが、ダウンリンク基準信号の送信が制限されるまたは存在しないサブフレームを含む、請求項15に記載の装置。
【請求項１７】
前記UEの前記調整されたドップラー推定値が閾値未満である場合、前記チャネル推定が、1つまたは複数の以前のダウンリンクサブフレーム中の受信した基準信号に少なくとも部分的に基づいて実行される、請求項15に記載の装置。
【請求項１８】
前記UEの前記調整されたドップラー推定値が閾値よりも大きい場合、前記チャネル推定が前記現在サブフレーム中の受信した基準信号のみに基づいて実行される、請求項15に記載の装置。
【請求項１９】
ワイヤレス通信のための装置であって、
ユーザ機器(UE)において、現在サブフレーム中の基地局からの基準信号を受信すること、および
チャネル推定を実行することであって、
前記チャネル推定が、前記現在サブフレーム中の前記受信した基準信号、前記UEのモビリティ特性、および前記現在サブフレームの前のサブフレームの構成に少なくとも部分的に基づき、
前記チャネル推定が、前記UEがサブフレーム間の位相の連続性が維持される高電流モードで動作している場合のみ、1つまたは複数の以前のダウンリンクサブフレーム中の受信した基準信号に少なくとも部分的に基づく、こと
を行うように構成された少なくとも1つのプロセッサと、
前記少なくとも1つのプロセッサに結合されたメモリとを備える装置。
【請求項２０】
前記チャネル推定を実行することが、
前記ダウンリンク基準信号の送信が制限されるまたは存在しない前記サブフレーム中の基準信号シンボルに0係数を使用することを含む、請求項16に記載の装置。
【請求項２１】
ワイヤレス通信のための装置であって、
ユーザ機器(UE)において、現在サブフレーム中の基地局からの基準信号を受信すること、および
チャネル推定を実行することであって、
前記チャネル推定が、前記現在サブフレーム中の前記受信した基準信号、前記UEのモビリティ特性、および前記現在サブフレームの前のサブフレームの構成に少なくとも部分的に基づき、
群遅延を使用して、前記現在サブフレーム中の少なくとも第1の基準信号シンボルをスキップすることを含む、こと
を行うように構成された少なくとも1つのプロセッサと、
前記少なくとも1つのプロセッサに結合されたメモリとを備える装置。
【請求項２２】
ワイヤレス通信のためのコンピュータプログラムであって、
ユーザ機器(UE)において、現在サブフレーム中の基地局からの基準信号を受信するためのコード、および
チャネル推定を実行するためのコードであって、
前記チャネル推定が、前記現在サブフレーム中の前記受信した基準信号、前記UEのドップラー推定値、および前記現在サブフレームの前のサブフレームの構成に少なくとも部分的に基づき、
ダウンリンク基準信号の送信が制限されるまたは存在しない前記現在サブフレームの前のいくつかのサブフレームに少なくとも部分的に基づいて、前記ドップラー推定値が調整される、コード
を有するコンピュータプログラム。
【請求項２３】
前記現在サブフレームの前のサブフレームが、ダウンリンク基準信号の送信が制限されるまたは存在しないサブフレームを含む、請求項22に記載のコンピュータプログラム。
【請求項２４】
前記UEの前記調整されたドップラー推定値が閾値未満である場合、前記チャネル推定が、1つまたは複数の以前のダウンリンクサブフレーム中の受信した基準信号に少なくとも部分的に基づいて実行される、請求項22に記載のコンピュータプログラム。
【請求項２５】
前記UEの前記調整されたドップラー推定値が閾値よりも大きい場合、前記チャネル推定が前記現在サブフレーム中の受信した基準信号のみに基づいて実行される、請求項22に記載のコンピュータプログラム。
【請求項２６】
ワイヤレス通信のためのコンピュータプログラムであって、
ユーザ機器(UE)において、現在サブフレーム中の基地局からの基準信号を受信するためのコード、および
チャネル推定を実行するためのコードであって、
前記チャネル推定が、前記現在サブフレーム中の前記受信した基準信号、前記UEのモビリティ特性、および前記現在サブフレームの前のサブフレームの構成に少なくとも部分的に基づき、
前記チャネル推定が、前記UEがサブフレーム間の位相の連続性が維持される高電流モードで動作している場合のみ、1つまたは複数の以前のダウンリンクサブフレーム中の受信した基準信号に少なくとも部分的に基づく、コード
を有するコンピュータプログラム。
【請求項２７】
前記チャネル推定を実行するための前記コードが、
前記ダウンリンク基準信号の送信が制限されるまたは存在しない前記サブフレーム中の基準信号シンボルに0係数を使用するためのコードを含む、請求項23に記載のコンピュータプログラム。
【請求項２８】
ワイヤレス通信のためのコンピュータプログラムであって、
ユーザ機器(UE)において、現在サブフレーム中の基地局からの基準信号を受信するするためのコード、および
チャネル推定を実行するためのコードであって、
前記チャネル推定が、前記現在サブフレーム中の前記受信した基準信号、前記UEのモビリティ特性、および前記現在サブフレームの前のサブフレームの構成に少なくとも部分的に基づき、
群遅延を使用して、前記現在サブフレーム中の少なくとも第1の基準信号シンボルをスキップするためのコードを含む、コード
を有するコンピュータプログラム。